(57)【特許請求の範囲】
【請求項１】
受枠の内面に設けた係止部および解錠用係合部と、蓋本体の裏面に該蓋本体の半径方向に回動可能に垂下され、下部には前記係止部に係合可能な係合部および前記解錠用係合部と当接可能な当接部を設けた錠本体とから成り、施錠状態では、前記係合部が前記係止部の下方に位置して施錠され、且つ前記当接部が前記解錠用係合部から離れた施錠位置にあり、解錠のときには、前記蓋本体を前記受枠に対して回動させることにより前記当接部が前記解錠用係合部の下方の解錠位置に移動し、前記蓋本体の引き上げ操作に伴い前記当接部が前記解錠用係合部に当接することにより前記錠本体を解錠方向に回動させて前記係合部と前記係止部との係合を解除することを特徴とする地下構造物用蓋の施錠構造。
【請求項２】
解錠用係合部は、受枠内面に設けられた突起であり、当接部は、前記突起に当接する上面を蓋本体の半径方向外方に向けて下向きに傾斜させたことを特徴とする請求項１に記載の地下構造物用蓋の施錠構造。
【請求項３】
解錠用係合部は、受枠内面に該受枠の半径方向外方に向けて下向きに傾斜して設けられた段差面であり、解錠のとき当接部は、その上面が前記段差面に当接することを特徴とする請求項１に記載の地下構造物用蓋の施錠構造。
【請求項４】
受枠内面には、当接部が解錠用係合部の下方の解錠位置に移動するのを抑制する弾性部材を設けたことを特徴とする請求項１乃至３のいずれか１項に記載の地下構造物用蓋の施錠構造。
【請求項５】
錠本体と蓋本体との間に、錠本体を施錠方向に付勢する付勢部材を設けたことを特徴とする請求項１乃至４のいずれか１項に記載の地下構造物用蓋の施錠構造。
【請求項６】
蓋本体には、該蓋本体の表面側のみが開放した袋状の開蓋用冶具挿入孔を設けたことを特徴とする請求項１乃至５のいずれか１項に記載の地下構造物用蓋の施錠構造。
【発明の詳細な説明】
【０００１】
【発明の属する技術分野】
本発明は、地下構造物用蓋の施錠構造に関し、詳しくは蓋本体とこの蓋本体を支持する受枠とを施錠可能にする地下構造物用蓋の施錠構造に関する。
尚、本願明細書でいう「地下構造物用蓋」とは、下水道における地下埋設物、地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【０００２】
【従来の技術】
各種の地下構造物用蓋は、地下構造物の上端に設置されて路面等の地上に開口する受枠と、該受枠にテーパ嵌合等によって支持され開口部を覆う蓋本体とを備え、蓋本体を蝶番構造によって受枠に連結し、開蓋するときに該受枠に対して水平面内で旋回、または路面側に反転できるようにし、更に蓋本体と受枠とを施錠するための施錠構造を設けるものが一般的である。
【０００３】
受枠と蓋本体とを施錠するための施錠構造としては、例えば、実公平５８−３８９２号公報に記載されているものがある。この施錠構造は、施錠構造とバール孔の閉塞構造とを兼ね備えたもので、蓋本体の裏面に回動可能に枢支されるアームの上端にバール孔閉塞用の弁板を設けると共に、下端には受枠内周面の突起と係合する鉤部および重錘を設けている。
【０００４】
施錠状態においてアームは、重錘の自重により施錠方向に回動しており、弁板がバール孔を閉塞し、鉤部が受枠内周面の突起の下面に係合して施錠されている。解錠するときには弁板を押し下げて重錘による押圧力に抗してアームを回動させて鉤部と受枠内周面の突起との係合を解除するものである。
【０００５】
【発明が解決しようとする課題】
しかしながら、上記施錠構造にあっては、バール孔にバール等の棒状の工具を差し込み、弁板を押し下げるだけの簡単な操作で解錠することができるために、誰にでも簡単に蓋本体を開けられてしまい、地下構造物内への不法侵入や、不法投棄等を防ぐことができず、地下構造物の保全に支障を来したり、或いは除雪時に除雪した雪をマンホール内に投棄されて下水処理の負担増となる等の問題がある。
【０００６】
本発明は、上述の点に鑑みてなされたもので、第三者が容易に解錠することができないようにした地下構造物用蓋の施錠構造を提供することを目的とする。
【０００７】
【課題を解決するための手段】
本発明は、受枠の内面に設けた係止部および解錠用係合部と、蓋本体の裏面に該蓋本体の半径方向に回動可能に垂下され、下部には前記係止部に係合可能な係合部および前記解錠用係合部と当接可能な当接部を設けた錠本体とから成り、施錠状態では、前記係合部が前記係止部の下方に位置して施錠され、且つ前記当接部が前記解錠用係合部から離れた施錠位置にあり、解錠のときには、前記蓋本体を前記受枠に対して回動させることにより前記当接部が前記解錠用係合部の下方の解錠位置に移動し、前記蓋本体の引き上げ操作に伴い前記当接部が前記解錠用係合部に当接することにより前記錠本体を解錠方向に回動させて前記係合部と前記係止部との係合を解除することを特徴とする。
【０００８】
以上の構成において解錠するときには、作業者が開蓋用冶具挿入孔に開蓋用冶具の先端を挿入し受枠と蓋本体との食い込みを解除した後、蓋本体を受枠に対して回動させて錠本体の当接部を受枠の解錠用係合部の下方の施錠位置に移動させる。次いで、作業者が蓋本体を引き上げると、これに伴い当接部が解錠用係合部と当接して該錠本体を解錠方向に回動させ、該錠本体の係合部と受枠の係止部との係合を解除する。作業者は、そのまま蓋本体を上方に引き上げることで開蓋できる。
【０００９】
一方、蓋本体を受枠に対して回動させずに真っ直ぐ引き上げると、錠本体の当接部が受枠の解錠用係合部と当接せず、錠本体が解錠方向に回動することはない。従って、蓋本体を開蓋することができない。
蓋本体を閉蓋する場合には、錠本体の係合部が受枠の係止部に係合し、且つ当接部が解錠用係合部から離れた施錠位置に合わせて蓋本体を受枠内に落とし込む。蓋本体が受枠に落ち込み、係合部が係止部を越えると錠本体が自重より施錠方向に回動して、係合部が受枠の係止部の下方に位置して施錠される。
【００１０】
【発明の実施の形態】
本発明においては、解錠用係合部は、受枠内面に設けられた突起であり、当接部は、前記突起に当接する上面を蓋本体の半径方向外方に向けて下向きに傾斜させる構成としている。
このような構成とすることで、受枠に対して蓋本体を回動させると錠本体の当接部が突起の下側に入り込み、その上面が突起の下面に当接する。当接部の上面は蓋本体の半径方向外方に向けて下向きの傾斜面とされており、蓋本体が引き上げられると、これに伴い錠本体が蓋本体の半径方向内方即ち、解錠方向に円滑に回動されて係合部と係止部との係合が解除される。
【００１１】
また、本発明においては、解錠用係合部は、受枠内面に該受枠の半径方向外方に向けて下向きに傾斜して設けられた段差面であり、当接部は、その上面が前記段差面に当接する構成としている。
このような構成においても、受枠に対して蓋本体を回動させると錠本体の当接部が受枠の段差面の下側に入り込み、その上面が段差面に当接する。段差面は、受枠の半径方向外方に向けて下向きの傾斜面とされており、蓋本体が引き上げられると、これに伴い錠本体が解錠方向に円滑に回動されて係合部と係止部との係合が解除される。
【００１２】
本発明においては、受枠内面には、当接部が解錠用係合部の下方の解錠位置に移動するのを抑制する弾性部材を設けた構成としている。
弾性部材は、当接部が解錠位置に移動しようとするとき、これを阻止しようとする押圧力を作用させるので、施錠状態が安定して維持される。
本発明においては、錠本体と蓋本体との間に、錠本体を施錠方向に付勢する付勢部材を設けた構成としている。
【００１３】
このような構成とすることで、蓋本体を傾斜地に設置した場合でも、この傾斜に関係なく錠本体が常に付勢部材によって蓋本体の半径方向外方、即ち施錠方向に付勢されるので、施錠状態を安定して維持できる。また、錠本体に重錘部を設ける必要がないので錠本体をコンパクトなものにすることができる。
更に、本発明においては、蓋本体には、該蓋本体の表面側のみが開放した袋状の開蓋用冶具挿入孔を設けた構成としている。
開蓋用冶具挿入孔を袋状にすると、内部の錠本体が全く見えなくなるので第三者には解錠方法が分かりにくく、無用に開蓋されることを防止できる。
【００１４】
（実施例１）
図１は、本発明に係る地下構造物用蓋の施錠構造の断面図を示す。図２は、図１の矢線II−IIに沿う断面図である。図１において地下構造物用蓋１は、受枠２と蓋本体３とにより構成された平面視円形としており、その上面が地上面（ＧＬ）と面一をなして設置されている。受枠２は、支持部２ａの内周上面をテーパ状とした蓋本体３との嵌合面２ｂを形成し、蓋本体３は、縁巻３ａの外周面をテーパ状に縮径して嵌合面２ｂに当接させている。この蓋本体３は、蝶番構造（図示せず）により受枠２に開閉可能に連結されており、受枠２に対して蓋本体３を持ち上げながら手前側に斜め上方に持ち上げ、水平旋回または垂直反転させることで、開蓋可能としている。そして、受枠２と蓋本体３との間には、前記蝶番構造と反対側の位置に受枠２側に設けた係止部６と、該係止部６に係合させる蓋本体３側に設けた錠本体１１が設けられている。
【００１５】
尚、上述した蝶番構造は、例えば、受枠２の内周に環状の蝶番座を突出して設け、その中に蓋本体３の裏面に回動可能に取り付けた蝶番金物を差し込んだ構造の地下構造物用蓋では周知のものが採用できる。この蝶番構造は、蝶番金物が蝶番座に差し込まれた状態において該蝶番座に対して半径方向および周方向にある程度の自由度を持つものであり、本実施例においてもこのような蝶番構造を備えることで、蓋本体３を受枠２に対してその周方向に少し回動させることが可能とされると共に、開蓋時には蓋本体３を手前側に斜め上方に引き上げることが可能となっている。また、蓋本体３は、地下構造物内部の乱流揚圧を受けたときには蝶番金物の長さ分だけ真っ直ぐに押し上げられる。
【００１６】
図３に示すように受枠２は、支持部２ａの内周面上部に蓋本体３を嵌合支持するテーパ状の嵌合面２ｂが形成され、嵌合面２ｂの下端に棚部２ｃが階段状に形成され、この棚部２ｃより下方の内周面２ｄが嵌合面２ｂよりも僅かに小径円筒形状とされている。受枠２の内周面２ｄには半径方向内方に開口する凹部５が形成されており、この凹部５の開口部の上縁に周方向に沿って係止部６が形成されている。凹部５の一方の側面５ａには開口部の上部近傍に解錠用係合部である突起７が形成されている。また、この側面５ａには突起７の長さよりも僅かに厚みのある弾性部材８が貼設されている。この弾性部材８は、例えば、スポンジゴムで、厚み方向（突起７の長手方向）に圧縮可能とされている。
【００１７】
図４は、蓋本体３の要部および錠本体１１の分解斜視図で、蓋本体３の周縁部には、施錠状態において受枠２の内周面２ｄに形成した凹部５の略中央に位置するように袋状バール孔３ｃが設けられている。この袋状バール孔３ｃは、蓋本体３の表面３ｂの周縁部に開口し、裏面下方に袋部３ｄが膨出している。
錠本体１１は、下部が重錘部１２とされ、この重錘部１２の左右両側にはそれぞれ側部１３、１３が上方に垂直に延出され、その上端外側面に水平方向外方に延びる丸棒状のアーム１４、１４が形成されている。重錘部１２の前面には受枠２の係止部６と係合可能な係合部１５が形成されている。そして、図２の施錠状態においてこの係合部１５が前記受枠２に設けられた凹部５の側面５ａと対向する側の側面１５ａには、当接部１６が一体に形成されている。この当接部１６の上面は、図４に示すように基端から先端に向かって斜め下方に傾斜する傾斜面１６ａとされている。また、当接部１６の幅は、図２に示すように凹部５の側面５ａに設けられた突起７の長さと略同じ長さとされている。
【００１８】
錠本体１１は、図２に示すように係合部１５の側面１５ｂから当接部１６の側面１６ｂまでの幅が凹部５の側面５ａ側の突起７の先端面と側面５ｂとの間隔よりも幅狭とされている。そして、錠本体１１は、当接部１６の側面１６ｂが凹部５の側面５ａに当接した位置、係合部１５の側面１５ｂが凹部５の側面５ｂに当接した位置においても、係合部１５が係止部６と係合可能に対向する。
【００１９】
蓋本体３の裏面には、図５に示すように袋状バール孔３ｃの袋部３ｄの左右両側にブラケット３ｅ、３ｅが設けられている。これらのブラケット３ｅ、３ｅは、略Ｌ形をなしており、各垂直部の上端が蓋本体３の裏面に連設され、各水平部の自由端が袋状バール孔３ｃの袋部３ｄの両側面と所定の間隔を存して対向しており、垂直部にはボルト孔３ｆ、３ｆが水平方向に穿設されている。
【００２０】
そして、錠本体１１は、図１に示すように重錘部１２の上方の両側部１３、１３が蓋本体３の袋状バール孔３ｃの袋部３ｄとブラケット３ｅ、３ｅとの間に僅かな間隙を存して収納され、アーム１４、１４がこれらのブラケット３ｅ、３ｅの水平部に支持される。袋部３ｄは、錠本体１１の重錘部１２の上面と両側部１３、１３との間の空間に収納される。更に、図１および図５に示すようにブラケット３ｅ、３ｅのボルト孔３ｆ、３ｆにボルト１７、１７が螺合されてアーム１４、１４の逸脱が防止される。これにより錠本体１１は、アーム１４、１４を回転軸として蓋本体３の半径方向に回動可能とされ、且つ周方向には移動不能とされる。尚、錠本体１１の重錘部１２の上面は、蓋本体３の袋部３ｄの下面と離隔しており、該錠本体１１が回動する際に袋部３ｄと当接することはない。
【００２１】
次に、図１、図２、図６および図７により施錠・解錠動作を説明する。
図１および図２は、蓋本体３が受枠２に嵌合支持されている施錠状態を示す。錠本体１１は、重錘部１２の自重により略垂直な状態にあり、係合部１５と当接部１６の先端部が受枠２の凹部５内の略中央に入り込んでいる。係合部１５は、係止部６の僅か下方に位置して係止部６と対向しており、当接部１６の側面１６ｂが凹部５の側面５ａに貼着されている弾性部材８に当接、または僅かに離隔している。そして、当接部１６は、突起７の側方に離隔しており、且つその上面１６ａの先端部が突起７の下面よりも僅かに低い位置に位置している。
【００２２】
この施錠状態において図６（ａ）、（ｂ）に示すように蓋本体３を開蓋すべく引き上げると、錠本体１１の係合部１５が受枠２の係止部６に係合して施錠され、蓋本体３を開蓋することができない。同様に地下構造物内部で発生したガス圧、或いは乱流揚圧により蓋本体３が押し上げられた場合でも、錠本体１１により施錠されて該蓋本体３が開蓋したり、飛散することが防止される。
【００２３】
蓋本体３を開けるときには、蓋本体３の袋状バール孔３ｃ（図４）に専用のバール（図示せず）の先端を差し込み、受枠と蓋本体との食い込みを解除した後、図７（ａ）、（ｂ）に示すようにそのまま蓋本体３を受枠２に対して矢印Ｂ方向に回動させる。この回動操作によって、錠本体１１は、蓋本体３と共に矢印Ｂ方向に移動し、当接部１６の側面１６ｂが弾性部材８を圧縮して突起７の下側に入り込み、傾斜面１６ａが突起７の下方の解錠位置に移動する。このとき、受枠２の凹部５に入り込んでいる当接部１６の側面１６ｂが弾性部材８を挟んで凹部５の側壁５ａに突き当たり、これ以上蓋本体３は回動できないので、前記のように当接部１６が突起７の下方の解錠位置に確実に位置決めされる。
【００２４】
次いで、図７（ｃ）に示すように蓋本体３を斜め上方（矢印Ｃ方向）に引き上げると、当接部１６の傾斜面１６ａが突起７の外周面に当接することにより、錠本体１１が解錠方向（蓋本体３の半径方向内方）に回動される。蓋本体３が更に引き上げられると、図７（ｄ）の状態を経て図７（ｅ）に示すように係合部１５の先端が受枠２の係止部６から外れて解錠される。以後、蓋本体３の引き上げに伴い錠本体１１は、係合部１５の先端が受枠２の嵌合面２ｂに当接して解錠方向に回動された状態で引き上げられる。
【００２５】
このように、解錠するためには、蓋本体３を受枠２に対して回動させるという特別な操作が必要であるので、施錠構造を知らない第三者が容易に解錠することを防止することができる。尚、本実施例１においては、錠本体１１は、図６（ｂ）からわかるように係合部１５の側面１５ｂが凹部５の側面５ｂに当接した位置においても係合部１５が係止部６と係合可能とされている。従って、蓋本体３を受枠２に対して図６（ｂ）の矢印Ａ方向に回動させたとしても、錠本体１１を解錠することはできず、蓋本体３を開蓋することはできない。
【００２６】
また、本実施例１においては、蓋本体３のバール孔を袋状バール孔３ｃとしたことにより、錠本体１１が全く見えないため第三者には解錠方法が一層分かりにくく、しかもバール孔から棒材等を挿入されて直接錠本体１１を回動操作され、解錠される虞もない。更に、袋状バール孔３ｃとすることで、雨水や土砂が内部に浸入することが防止され、錠本体１１の円滑な作動が確保される。
【００２７】
また、凹部５の側面５ａに弾性部材８を貼着したことにより、錠本体１１の当接部１６が突起７の下方の解錠位置に移動しようとするとき、弾性部材８がこれを阻止しようとする押圧力を作用させるので、蓋本体３が地下構造物内部で発生した乱流揚圧により浮上したとき等に蓋本体３が簡単に回動し解錠してしまうことが防止され、施錠状態を安定して維持できる。
【００２８】
一方、蓋本体３を閉蓋する場合には、作業者が蓋本体３を持ち上げ、係合部１５が受枠２の係止部６に係合し、且つ当接部１６が突起７から離れた施錠位置に合わせて、蓋本体３を受枠２内に落とし込む。錠本体１１は、係合部１５の先端が受枠２の嵌合面２ｂに当接することにより解錠方向に回動された状態で下降し、係合部１５の先端が係止部６の下方に通り抜けると、重錘部１２の自重により施錠方向（蓋本体３の半径方向外方）に回動し、係合部１５が係止部６の僅か下方に位置して図１および図２に示すに施錠状態に復帰する。
【００２９】
尚、実施例１においては、受枠２側の解錠用係合部として凹部５の一側面５ａに突起７を形成し、蓋本体３側の錠本体１１の係合部１５の一側面１５ａに当接部１６を形成したが、これに限るものではなく、受枠２の凹部５の対向する両側面５ａ、５ｂに夫々突起７を形成し、錠本体１１の係合部１５の両側面１５ａ、１５ｂに夫々当接部１６を形成しても良い。この場合錠本体１１は、蓋本体３を受枠２に対して何れの方向に回動させても解錠可能とされ、地下構造物用蓋の設置状況（設置場所）に応じて、蓋本体３を何れか一方に回動させることにより解錠することができ、解錠操作性の向上が図られる。
また、弾性部材８は、実施例のようにスポンジゴムに限るものではなく、例えば、バネ、ゴム等の弾性体を用いても良い。
【００３０】
（実施例２）
図８および図９は、本発明の施錠構造の第２実施例を示す。図８に示すように受枠２の凹部５の側面５ａに凸条２０を形成することにより、その下面を凹部５の開口端の上部近傍から内方に向かって斜め下方に傾斜する段差面２０ａとし、更に、図９に示すように錠本体１１の係合部１５の側面１５ａに上面２１ａが水平面をなす当接部２１を形成したものである。蓋本体３を開蓋するときには、前述した解錠操作と同様に蓋本体３を回動させて図１０（ａ）に示すように当接部２１を段差面２０ａの下方に入り込ませた後、該蓋本体３を斜め上方（矢印Ｃ方向）に引き上げると図１０（ｂ）に示すように錠本体１１は、当接部２１の先端が段差面２０ａに当接することにより解錠方向に回動されて解錠される。尚、凹部５の側面５ａには前述と同様に弾性部材が貼着される。
【００３１】
（実施例３）
図１１および図１２は、本発明の施錠構造の第３実施例を示す。図１１に示すように受枠２の凹部５の側面５ａに傾斜溝２３を形成することにより、その上面を凹部５の開口端の上部近傍から内方に向かって斜め下方に傾斜する段差面２３ａとし、更に、図１２に示すように錠本体１１の係合部１５の側面１５ａに丸棒状をなして水平に延び段差面２３ａに当接可能な当接部２４を形成したものである。蓋本体３を開蓋するときには、蓋本体３を回動させて図１３（ａ）に示すように当接部２４を傾斜溝２３内に入り込ませた後、該蓋本体３を斜め上方（矢印Ｃ方向）に引き上げると、錠本体１１は、図１３（ｂ）に示すように当接部２４が傾斜溝２３の上面の段差面２３ａに当接することにより解錠方向に回動されて解錠される。尚、凹部５の側面５ａには前述と同様に弾性部材が貼着される。
【００３２】
また、以上の実施例においては、錠本体１１の下部を重錘部１２としこの重錘部１２の自重によって錠本体１１を施錠方向に付勢するようにしたが、これに代えて、錠本体の背面と蓋本体の裏面との間に、バネ、ゴム等の弾性体を付勢部材として設け、錠本体を施錠方向に付勢するようにしてもよい。このような付勢部材を設けることによって、蓋本体を傾斜地に設置した場合でも、この傾斜に関係なく錠本体が常に施錠方向に付勢されるので、施錠状態を安定して維持できる。また、錠本体に重錘部を設ける必要がないので錠本体をコンパクトなものにすることができる。無論、重錘部と付勢部材の両方を設けるようにしてもよい。
【００３３】
【発明の効果】
本発明の地下構造物用蓋の施錠構造では、解錠するためには蓋本体を受枠に対して回動させる必要があり、単に開蓋用冶具を差し込むだけでは解錠することができないので、第三者に容易に解錠されることを防止することができる。
更に、閉蓋操作時には、蓋本体を受枠内に落とし込むだけで錠本体が解錠方向に回動しながら下降し、閉蓋されると錠本体の係合部が受枠の係止部の下方に位置して施錠され、施錠操作が容易である。
【００３４】
また、解錠用係合部を突起とし、当接部は突起の下面に当接する上面を蓋本体の半径方向外方に向けて下向きに傾斜させたことで、解錠のとき蓋本体の引き上げ操作に伴い当接部の上面が突起と当接し錠本体を解錠方向に円滑に回動させることができるので、解錠の操作性が向上する。
また、解錠用係合部を受枠内面に該受枠の半径方向外方に向けて下向きに傾斜して設けられた段差面とすることによっても、解錠のとき蓋本体の引き上げ操作に伴い錠本体を解錠方向に円滑に回動させることができるので、解錠の操作性が向上する。
【００３５】
更に、受枠内面に、当接部が解錠用係合部の下方の解錠位置に移動するのを弾性的に抑制する弾性部材を設けたことにより、当接部が解錠位置に移動しようとするとき、弾性部材がこれを阻止しようとする押圧力を作用させるので、蓋本体が地下構造物内部で発生した乱流揚圧により浮上したとき等に、蓋本体が簡単に回動し解錠してしまうことが防止され、施錠状態を安定して維持できる。
【００３６】
更に、錠本体と蓋本体との間に、錠本体を施錠方向に付勢する付勢部材を設けたことにより、蓋本体を傾斜地に設置した場合でも、この傾斜に関係なく錠本体が常に施錠方向に付勢されるので、施錠状態を安定して維持できる。また、錠本体に重錘部を設ける必要がないので錠本体をコンパクトなものにすることができる。
【００３７】
更に、開蓋用冶具挿入孔を袋状とすることで、外からは蓋本体の裏側に取り付けられている錠本体が見えないので、施錠構造を熟知した者でなければ、解錠することができず、第三者による無用の解錠を防止するという点から、より一層効果的である。また、土砂や雨水等が内部に浸入することがなく、雨水や土砂等の影響によって錠本体が作動しなくなるという虞がなくなる。
【図面の簡単な説明】
【図１】本発明に係る地下構造物用蓋の施錠構造の実施例１の断面図である。
【図２】図１の矢線II-IIに沿う断面図である。
【図３】図１の受枠内面に形成された凹部、係止部および解錠用係合部の斜視図である。
【図４】図１の蓋本体の一部および錠本体の外側斜め上方から見た分解斜視図である。
【図５】図４の蓋本体を裏側斜め下方から見た斜視図である。
【図６】図１の施錠構造の施錠動作を示す説明図である。
【図７】図１に示す施錠構造の開蓋時における解錠動作を示す説明図である。
【図８】本発明の実施例２における受枠内面に形成された凹部、係止部および解錠用係合部の斜視図である。
【図９】本発明の実施例２における錠本体の斜視図である。
【図１０】図８に示す受枠と図９に示す錠本体を適用した施錠構造の解錠動作を示す説明図である。
【図１１】本発明の実施例３における受枠内面に形成された凹部、係止部および解錠用係合部の斜視図である。
【図１２】本発明の実施例３における錠本体の斜視図である。
【図１３】図１１に示す受枠と図１２に示す錠本体を適用した施錠構造の解錠動作を示す説明図である。
【符号の説明】
１  地下構造物用蓋
２  受枠
２ａ  支持部
２ｂ  嵌合面
３  蓋本体
３ａ  縁巻
３ｃ  袋状バール孔（開蓋用冶具挿入孔）
３ｄ  袋部
３ｅ  ブラケット
３ｆ  ねじ穴
５  凹部
６  係止部
７  突起（解錠用係合部）
８  弾性部材
１２  重錘部
１３  側部
１４  アーム
１５  係合部
１６、２１、２４  当接部
１６ａ  傾斜面
２０  凸条
２０ａ、２３ａ  段差面（解錠用係合部）
２３  傾斜溝
【図１】
0003753345.tif 000002
【図２】
0003753345.tif 000003
【図３】
0003753345.tif 000004
【図４】
0003753345.tif 000005
【図５】
0003753345.tif 000006
【図６】
0003753345.tif 000007
【図７】
0003753345.tif 000008
【図８】
0003753345.tif 000009
【図９】
0003753345.tif 000010
【図１０】
0003753345.tif 000011
【図１１】
0003753345.tif 000012
【図１２】
0003753345.tif 000013
【図１３】
0003753345.tif 000014